(57)【特許請求の範囲】
【請求項１】
エレベーターのかご用ガイドレールおよび釣り合い重り用ガイドレールが合体化された合体型ガイドレールであって、
前記合体型ガイドレールは断面略Ｕ字状をした主板材と、この主板材の両側に配設された断面略Ｌ字状をした一対の補助板材とからなり、
前記主板材の両端側は折り合わされてそれぞれガイドレールの刃部とされ、
前記補助板材は前記主板材に対しその軸方向に少しずらした位置において前記折り合わせた刃部に差し込まれて該主板部に固定されており、
一方のガイドレールの刃部の補助板部が位置していない方の端部に、他方のガイドレールの端部から突出している補助板材を差し込んでガイドレールを連結することを特徴とするエレベーターの合体型ガイドレール。
【発明の詳細な説明】
【０００１】
【発明の属する技術分野】
本発明は、かご用ガイドレールと釣り合い重り用ガイドレールを合体化したエレベーターのガイドレールに関する。
【０００２】
【従来の技術】
従来のエレベーターとして、例えば図７に示すようなものがある。同図において、符号１０１は昇降路１０２に上下移動自在に配設されたかごであり、このかご１０１と釣り合うように釣り合い重り１０３も配設されている。かご１０１にはロープ１０４の一端が止着され、この他端は釣り合い重り１０３に止着され、このロープ１０４は巻上機１０５の駆動シーブ１０５ａおよびそらしシーブ１０６に掛けられている。また、かご１０１および釣り合い重り１０３のそれぞれの両側には、かご用ガイドレール１０７および釣り合い重り用ガイドレール１０８が立設されている。巻上機１０５を駆動させると、かご１０１と釣り合い重り１０３は、それぞれかご用ガイドレール１０７および釣り合い重り用ガイドレール１０８に沿って上下移動する。
【０００３】
【発明が解決しようとする課題】
しかしながら、このような従来のエレベーターにあっては、かご用ガイドレール１０７と釣り合い重り用ガイドレール１０８を別々に立設させなければならず、据付工事が煩雑であるという問題点があった。
【０００４】
本発明は、かご用ガイドレールと釣り合い重り用ガイドレールを一体化して、据付工事を簡単にしたエレベーターを提供することを目的とする。
【０００５】
【課題を解決するための手段】
このような目的を達成するために、本発明にあっては、エレベーターのかご用ガイドレールおよび釣り合い重り用ガイドレールが合体化された合体型ガイドレールであって、前記合体型ガイドレールは断面略Ｕ字状をした主板材と、この主板材の両側に配設された断面略Ｌ字状をした一対の補助板材とからなり、前記主板材の両端側は折り合わされてそれぞれガイドレールの刃部とされ、前記補助板材は前記主板材に対しその軸方向に少しずらした位置において前記折り合わせた刃部に差し込まれて該主板部に固定されており、一方のガイドレールの刃部の補助板部が位置していない方の端部に、他方のガイドレールの端部から突出している補助板材を差し込んでガイドレールを連結することを特徴とする。
【０００６】
【発明の実施の形態】
以下、本発明を図面に基づいて説明する。図１ないし図６は本発明に係るエレベーターの合体型ガイドレールの一実施例を示す図である。
【０００７】
図５および図６において、符号１は昇降路２に上下移動可能に配設されたかごであり、このかご１の出入口１ａには片開き式のドア３が開閉自在に設けられている。また、出入口１ａにはドア３を開けたときに、これを収納する戸袋１ｂが設けられている。かご１における戸袋側の側方には、かご用ガイドレール４および釣り合い重り用ガイドレール５がまとめて立設されている。このため、昇降路２は横断面方向にコンパクトとなっている。
【０００８】
かご１はかご室６とこのかご室６を支持するかご枠７とからなり、このかご枠７はかご室６の床面に設けられた下枠７ａと、かご室６の戸袋側の側面に取り付けられた側枠７ｂとからなっている。側枠７ｂはかご１の側面における上端１ｃ（すなわち、天井）から少し下った位置にある。かご枠７の下枠７ａと側枠７ｂの先端にはローラガイド８，９が設けられており、このローラガイド８，９はかご用ガイドレール４に摺動自在に係合している。
【０００９】
また、昇降路２にはかご１と釣り合うように釣り合い重り１０が配設され、この釣り合い重り１０の上下両端にはガイドシュー１１，１２が設けられ、このガイドシュー１１，１２は釣り合い重り用レール５に摺動自在に係合している。釣り合い重り１０の上端にはロープ１３の一端が止着され、このロープ１３の他端はかご枠７の下枠７ａに止着されている。
【００１０】
ロープ１３はかご用ガイドレール４および釣り合い重り用ガイドレール５の上部に設けられた巻上機１４の駆動シーブ１４ａに掛けられている。巻上機１４はかご１が最上階に位置したときには、このかご１の側方に位置している。
【００１１】
かご用ガイドレール４と釣り合い重り用ガイドレール５とは、図１に示すように合体化されて合体型ガイドレール１５となっている。合体型ガイドレール１５は昇降路２を構成する鉄骨１６に支持片１７，レールブラケット１８を介して固定されている。
【００１２】
合体型ガイドレール１５は、図２に示すように、断面が略Ｕ字状をした鋼板製の主板材１９と、主板材１９の両端側に配設される断面が略Ｌ字型をした一対の鋼板製の補助板材２０，２１とからなっている。主板材１９の左右両端側は、折り合わされてかご用ガイドレール４の刃部４ａと釣り合い重り用ガイドレール５の刃部５ａとなっている。折り合わされた刃部４ａ，５ａには、補助板材２０，２１がそれぞれ差し込まれる。
【００１３】
ここで、断面略Ｕ字型に押出加工された主板材１９は、この左右両端側が残留応力により左右外側に開こうとするものである。これに対して、断面略Ｌ字型に押出加工された一対の補助板材２０，２１は残留応力により左右内側に開こうとするものである。そこで、主板材１９と補助板材２０，２１とを組み合わせることによって前記の開きは矯正されることになる。このため、刃部４ａ，５ａの形状は設計通りの正確な形状となっている。
【００１４】
図３に示すように、合体型ガイドレール１５は複数のレール材２２，２３を接続したものであるが、レール材２２，２３における主板材１９と補助板材２０，２１とは少しずらされている。このため、レール材２２の主板材１９に、レール材２３の補助板材２０，２１を差し込むことができる。このことにより、レール材２２の刃部４ａ，５ａとレール材２３の刃部４ａ，５ａとは芯が一致する。また、レール材２２の刃部４ａ，５ａとレール材２３の刃部４ａ，５ａとは前記したように正確な形状となっている点とも相俟って、刃部の接続部分に段差ができるというようなことはない。次に、図４に示すように、レール材２２の主板材１９とレール材２３の補助板材２０，２１とをボルトによって連結し、さらに継目板２４を介してボルトによって連結する。
【００１５】
【発明の効果】
以上説明したように、本発明によれば、かご用ガイドレールおよび釣り合い重り用ガイドレールを合体化した合体型ガイドレールとしたので、このガイドレールを一回立設すればよく、据付工事は簡単となる。
【００１６】
また、合体型ガイドレールは断面略Ｕ字状をした主板材と、この主板材の両側に配設された断面略Ｌ字状をした一対の補助板材とからなり、前記主板材の両端側は折り合わされてそれぞれガイドレールの刃部とされ、前記補助板材は前記主板材に対しその軸方向に少しずらした位置において前記折り合わせた刃部に差し込まれて該主板部に固定されており、一方のガイドレールの刃部の補助板部が位置していない方の端部に、他方のガイドレールの端部から突出している補助板材を差し込んでガイドレールを連結するようにしたので、前記刃部を設計通り正確な形状にすることができる。したがって、レール材を接続して合体型ガイドレールとしたときに、前記刃部の接続部分に段差ができるというようなことはなくなる。
【図面の簡単な説明】
【図１】本発明に係るエレベーターの合体型ガイドレールの一実施例を示す断面図。
【図２】この合体型ガイドレールの分解断面図。
【図３】この合体型ガイドレールの分解側面図。
【図４】この合体型ガイドレールの側面図。
【図５】この合体型ガイドレールが適用されたエレベーターの側面図。
【図６】この合体型ガイドレールが適用されたエレベーターの正面図。
【図７】従来のエレベーターの側面図。
【符号の説明】
４…かご用ガイドレール、４ａ…刃部、５…釣り合い重り用ガイドレール、５ａ…刃部、１５…合体型ガイドレール、１９…主板材、２０，２１…補助板材。
【図１】
0003910667.tif 000002
【図２】
0003910667.tif 000003
【図３】
0003910667.tif 000004
【図４】
0003910667.tif 000005
【図５】
0003910667.tif 000006
【図６】
0003910667.tif 000007
【図７】
0003910667.tif 000008